【手続補正書】
【提出日】平成21年9月10日(2009.9.10)
【手続補正１】
【補正対象書類名】特許請求の範囲
【補正対象項目名】全文
【補正方法】変更
【補正の内容】
【特許請求の範囲】
【請求項１】
データ保持信号に応じて処理データを保持することが可能なデータ処理手段と、
前記データ処理手段への突入電流を抑制するように、処理開始直後に時間経過に従って段階的に変化する複数のデータ保持期間をもつデータ保持信号を生成し、前記データ処理手段に出力する保持信号生成手段と
を有することを特徴とするデータ処理装置。
【請求項２】
前記保持信号生成手段は、処理開始直後に時間経過に従って段階的に短縮する複数のデータ保持期間をもつデータ保持信号を生成することを特徴とする請求項１記載のデータ処理装置。
【請求項３】
前記データ処理手段はＤフリップフロップを内蔵することを特徴とする請求項１記載のデータ処理装置。
【請求項４】
前記データ処理手段は、複数の処理グループに分割された複数のデータ処理手段からなり、
前記保持信号生成手段は、前記複数の処理グループの各々に対して個別のデータ保持信号を生成することを特徴とする請求項１記載のデータ処理装置。
【請求項５】
前記保持信号生成手段は、同一処理グループに属する複数のデータ処理手段に対して同一のデータ保持信号を出力することを特徴とする請求項４記載のデータ処理装置。
【請求項６】
処理順序に沿って並べられた少なくとも２つのデータ処理手段と、
前記少なくとも２つのデータ処理手段のうちの後段のデータ処理手段に設けられ、該後段のデータ処理手段が処理実行を一時的に停止するときに所定時間に亘って停止信号を発生し、前段のデータ処理手段に出力する停止信号発生手段と、
前記後段のデータ処理手段への突入電流を抑制するように、前記停止信号発生手段が前記停止信号の発生を止めた時点から、時間経過に従って段階的に変化する複数のデータ保持期間をもつデータ保持信号を生成し、前記前段のデータ処理手段に出力する保持信号生成手段と、
前記前段のデータ処理手段に設けられ、前記停止信号が入力している期間および前記データ保持信号のデータ保持期間において処理データを保持する保持手段と
を有することを特徴とするデータ処理装置。
【請求項７】
前記データ処理手段は、カスケード接続された複数のデータ処理手段から成り、
前記複数のデータ処理手段のうち、隣接する２つのデータ処理手段が、前記前段及び後段のデータ処理手段になり得ることを特徴とする請求項６記載のデータ処理装置。
【請求項８】
データ保持信号に応じて処理データを保持することが可能なデータ処理手段を有するデータ処理装置の制御方法であって、
前記データ処理手段への突入電流を抑制するように、処理開始直後に時間経過に従って段階的に変化する複数のデータ保持期間をもつデータ保持信号を生成する保持信号生成ステップと、
前記保持信号生成ステップにおいて生成されたデータ保持信号を前記データ処理手段に出力する出力ステップと
を有することを特徴とするデータ処理装置の制御方法。
【請求項９】
前記保持信号生成ステップでは、処理開始直後に時間経過に従って段階的に短縮する複数のデータ保持期間をもつデータ保持信号を生成することを特徴とする請求項８記載の制御方法。
【請求項１０】
前記データ処理手段は、複数の処理グループに分割された複数のデータ処理手段からなり、
前記保持信号生成ステップでは、前記複数の処理グループの各々に対して個別のデータ保持信号を生成することを特徴とする請求項８記載の制御方法。
【請求項１１】
前記出力ステップでは、同一処理グループに属する複数のデータ処理手段に対して同一のデータ保持信号を出力することを特徴とする請求項１０記載の制御方法。
【請求項１２】
処理順序に沿って並べられた少なくとも２つのデータ処理手段を有するデータ処理装置の制御方法において、
前記少なくとも２つのデータ処理手段のうちの後段のデータ処理手段が、該後段のデータ処理手段が処理実行を一時的に停止するときに所定時間に亘って停止信号を発生し、前段のデータ処理手段に出力する停止信号発生ステップと、
前記後段のデータ処理手段への突入電流を抑制するように、前記停止信号発生ステップにおいて前記停止信号の発生が止められた時点から、時間経過に従って段階的に変化する複数のデータ保持期間をもつデータ保持信号を生成し、前記前段のデータ処理手段に出力する保持信号生成ステップと、
前記前段のデータ処理手段が、前記停止信号が入力している期間および前記データ保持信号のデータ保持期間において処理データを保持する保持ステップと
を有することを特徴とするデータ処理装置の制御方法。
【手続補正２】
【補正対象書類名】明細書
【補正対象項目名】発明の名称
【補正方法】変更
【補正の内容】
【発明の名称】データ処理装置およびその制御方法
【手続補正３】
【補正対象書類名】明細書
【補正対象項目名】０００１
【補正方法】変更
【補正の内容】
【０００１】
本発明は、データ処理装置およびその制御方法に関し、特に、データ保持信号に応じて処理データを保持することが可能なデータ処理手段を有するデータ処理装置、処理順序に沿って並べられた少なくとも２つのデータ処理手段を有するデータ処理装置、および該データ処理装置に適用される制御方法に関する。
【手続補正４】
【補正対象書類名】明細書
【補正対象項目名】００２５
【補正方法】変更
【補正の内容】
【００２５】
本発明はこのような問題点に鑑みてなされたものであって、ＬＳＩでの処理開始直後における直流定電圧電源からの突入電流のスルーレートを大きくして、ＬＳＩに供給される電源電圧の降下を抑え、電源の安定化を図ったデータ処理装置およびその制御方法を提供することを目的とする。
【手続補正５】
【補正対象書類名】明細書
【補正対象項目名】００２６
【補正方法】変更
【補正の内容】
【００２６】
上記目的を達成するために、請求項１記載の発明によれば、データ保持信号に応じて処理データを保持することが可能なデータ処理手段と、前記データ処理手段への突入電流を抑制するように、処理開始直後に時間経過に従って段階的に変化する複数のデータ保持期間をもつデータ保持信号を生成し、前記データ処理手段に出力する保持信号生成手段と
を有することを特徴とするデータ処理装置が提供される。
【手続補正６】
【補正対象書類名】明細書
【補正対象項目名】００２７
【補正方法】変更
【補正の内容】
【００２７】
また、請求項６記載の発明によれば、処理順序に沿って並べられた少なくとも２つのデータ処理手段と、前記少なくとも２つのデータ処理手段のうちの後段のデータ処理手段に設けられ、該後段のデータ処理手段が処理実行を一時的に停止するときに所定時間に亘って停止信号を発生し、前段のデータ処理手段に出力する停止信号発生手段と、前記後段のデータ処理手段への突入電流を抑制するように、前記停止信号発生手段が前記停止信号の発生を止めた時点から、時間経過に従って段階的に変化する複数のデータ保持期間をもつデータ保持信号を生成し、前記前段のデータ処理手段に出力する保持信号生成手段と、前記前段のデータ処理手段に設けられ、前記停止信号が入力している期間および前記データ保持信号のデータ保持期間において処理データを保持する保持手段とを有することを特徴とするデータ処理装置が提供される。
【手続補正７】
【補正対象書類名】明細書
【補正対象項目名】００２８
【補正方法】変更
【補正の内容】
【００２８】
また、請求項８記載の発明によれば、データ保持信号に応じて処理データを保持することが可能なデータ処理手段を有するデータ処理装置の制御方法であって、前記データ処理手段への突入電流を抑制するように、処理開始直後に時間経過に従って段階的に変化する複数のデータ保持期間をもつデータ保持信号を生成する保持信号生成ステップと、前記保持信号生成ステップにおいて生成されたデータ保持信号を前記データ処理手段に出力する出力ステップとを有することを特徴とするデータ処理装置が提供される。
【手続補正８】
【補正対象書類名】明細書
【補正対象項目名】００２９
【補正方法】変更
【補正の内容】
【００２９】
また、請求項１２記載の発明によれば、処理順序に沿って並べられた少なくとも２つのデータ処理手段を有するデータ処理装置の制御方法において、前記少なくとも２つのデータ処理手段のうちの後段のデータ処理手段が、該後段のデータ処理手段が処理実行を一時的に停止するときに所定時間に亘って停止信号を発生し、前段のデータ処理手段に出力する停止信号発生ステップと、前記データ処理手段への突入電流を抑制するように、前記停止信号発生ステップにおいて前記停止信号の発生が止められた時点から、時間経過に従って段階的に変化する複数のデータ保持期間をもつデータ保持信号を生成し、前記前段のデータ処理手段に出力する保持信号生成ステップと、前記前段のデータ処理手段が、前記停止信号が入力している期間および前記データ保持信号のデータ保持期間において処理データを保持する保持ステップとを有することを特徴とするデータ処理装置の制御方法が提供される。
【手続補正９】
【補正対象書類名】明細書
【補正対象項目名】００３０
【補正方法】変更
【補正の内容】
【００３０】
本発明によれば、処理の開始時において、従来のようにクロック周波数を段階的に高くするのではなく、データ処理手段における処理データの保持期間を該データ処理手段への突入電流を抑制するように段階的に変化させる。これにより、データ処理手段を構成するトランジスタのスイッチング回数が削減するとともに、突入電流のスルーレートが大きくなる。したがって、データ処理手段に供給される電源電圧の降下が抑制され、電源が安定化する。
【手続補正１０】
【補正対象書類名】明細書
【補正対象項目名】００３１
【補正方法】変更
【補正の内容】
【００３１】
また、処理順序に沿って並べられた少なくとも２つのデータ処理手段のうち、後段のデータ処理手段において処理が一時的に停止し、その後に処理が再開した場合であっても、上記処理の停止時から所定時間に亘って停止信号を発生させると共に、後段のデータ処理手段への突入電流を抑制するように、この停止信号の発生が止まった時点から、前段のデータ処理手段における処理データの保持期間を段階的に変化させる。これにより、処理再開時において、後段のデータ処理手段に電源から供給される電流の急峻な立ち上がりが抑えられ、電源電圧の降下が抑制され、電源ラインの安定化を図ることができる。